(57)【要約】【課題】本発明はスピーカにおいて、音再生に歪が発生しにくく、かつ小型化できるスピーカを提供することを目的とするものである。【解決手段】そしてこの目的を達成するために本発明は、天面が開口した有底筒状のフレーム１と、このフレーム１の内底面に設置された磁気回路２と、この磁気回路２の磁気ギャップ３内に、そのコイル部４が配置された円筒状のボイスコイル５と、前記フレーム１の開口部に設置されるとともに、その内周側が前記ボイスコイル５に固定され、外周側が第一のエッジ６を介して前記フレーム１に固定されたドーナツ状の振動板７とを備えている。前記振動板７の磁気回路２側面に円筒状の支持体８の一端側を固定し、この支持体８の他端側を第二のエッジ９を介して前記磁気回路２のヨーク１０の上端に固定している。【選択図】図１
2006261736.tif 000002
【特許請求の範囲】
【請求項１】
天面が開口した有底筒状のフレームと、このフレームの内底面に設置された磁気回路と、この磁気回路の磁気ギャップ内に、そのコイル部が配置されたボイスコイルと、前記フレームの開口部に設置されるとともに、その内周側が前記ボイスコイルに固定され、外周側が第一のエッジを介して前記フレームに固定された振動板とを備え、前記振動板の磁気回路側面に支持体の一端側を固定し、この支持体の他端側を第二のエッジを介して前記磁気回路に固定し、前記第一のエッジと第二のエッジは、これら第一のエッジと第二のエッジ間を境に、略相似形状としたスピーカ。
【発明の詳細な説明】
【技術分野】
【０００１】
本発明は各種電子機器に使用されるスピーカに関するものである。
【背景技術】
【０００２】
スピーカは各種電子機器に使用され、その構造は概ね次のような構造になっている。
【０００３】
すなわち、天面が開口した有底筒状のフレームと、このフレームの内底面に設置された磁気回路と、この磁気回路の磁気ギャップ内に、そのコイル部が配置されたボイスコイルと、前記フレームの開口部に設置されるとともに、その内周側が前記ボイスコイルに固定され、外周側がエッジを介して前記フレームに固定された振動板と、前記ボイスコイルに、その一端側を固定し、他端側を前記フレームに固定したダンパーとを備えた構造になっていた（例えば特許文献１の図８）。
【特許文献１】特開平１１−１５０７９１号公報
【発明の開示】
【発明が解決しようとする課題】
【０００４】
上記従来例において問題となるのは、音の再生に歪が発生してしまうということであった。
【０００５】
すなわち、振動板の外周にはエッジが取り付けられており、またこの振動板に固定されたボイスコイルにはダンパーが固定されており、これらエッジとダンパーが、相似形状になっていないので、振動板が上下動する時にこれらエッジとダンパーから受ける負荷が上下方向で略一定とならず、この結果として、音の再生に歪が発生してしまうのであった。
【０００６】
そこで本発明は音の再生に歪が発生しにくくするとともに、スピーカの小型化を図るものである。
【課題を解決するための手段】
【０００７】
そしてこの目的を達成するため本発明は、天面が開口した有底筒状のフレームと、このフレームの内底面に設置された磁気回路と、この磁気回路の磁気ギャップ内に、そのコイル部が配置されたボイスコイルと、前記フレームの開口部に設置されるとともに、その内周側が前記ボイスコイルに固定され、外周側が第一のエッジを介して前記フレームに固定された振動板とを備え、前記振動板の磁気回路側面に支持体の一端側を固定し、この支持体の他端側を第二のエッジを介して前記磁気回路に固定し、前記第一のエッジと第二のエッジは、これら第一のエッジと第二のエッジ間を境に、略相似形状としたものである。
【発明の効果】
【０００８】
以上の構成とすると、ダンパーを設けておらず、振動板を支持体を介して磁気回路で支持した構造となり、前記振動板の外周側の第一のエッジと支持体の他端側の第二のエッジは、これら第一のエッジと第二のエッジの間を境に、略相似形状としたものであるので、振動板が上下動する時の負荷が略一定となり、この結果として、音の再生に歪が発生しにくくなる。
【０００９】
また、支持体の他端側の第二のエッジを磁気回路に固定したので、この第二のエッジをフレーム側に固定するよりも小型化を図りやすくなる。
【００１０】
すなわち、支持体の他端側の第二のエッジを磁気回路外周のフレームに固定するのであれば、第二のエッジの可動のためには、フレームを大きくする必要があるが、支持体の他端側の第二のエッジを磁気回路に固定するのであれば、フレームを大きくしなくても、磁気回路の外周側に第二のエッジの可動範囲が十分確保され、この結果として小型化が図りやすいものとなる。
【発明を実施するための最良の形態】
【００１１】
以下本発明の一実施形態を添付図面を用いて説明する。
【００１２】
図１に示すごとく本実施形態のスピーカは、天面が開口した有底筒状（鉢状）のフレーム１と、このフレーム１の内底面に設置された磁気回路２と、この磁気回路２の磁気ギャップ３内に、そのコイル部４が配置された円筒状のボイスコイル５と、前記フレーム１の開口部に設置されるとともに、その内周側が前記ボイスコイル５に固定され、外周側が第一のエッジ６を介して前記フレーム１に固定されたドーナツ状の振動板７とを備えている。
【００１３】
前記振動板７の磁気回路２側面に円筒状の支持体８の一端側を固定し、この支持体８の他端側を第二のエッジ９を介して前記磁気回路２のヨーク１０の上端に固定している。
【００１４】
なお、磁気回路２はヨーク１０と磁石１１・１２とから構成されている。
【００１５】
磁石１１・１２は反発式とすべく、同極同士を対向させている。
【００１６】
前記第一のエッジ６と第二のエッジ９は、何れもゴム材料によって形成されており、前記第一のエッジ６は上方に突出した断面円形状になっており、また第二のエッジ９は下方に突出した断面円形状になっており、これにより第一のエッジ６と第二のエッジ９は、この両者間を境に、略相似形状となっている。
【００１７】
以上の構成において、ボイスコイル５のコイル部４に音声電気信号を流すと、磁気ギャップ３の磁束の影響を受け、ボイスコイル５を介して振動板７が上下動し、これにより、音が再生されることになる。
【００１８】
このとき上述のごとく、前記第一のエッジ６と第二のエッジ９は、何れもゴム材料によって形成されており、前記第一のエッジ６は上方に突出した断面円形状になっており、また第二のエッジ９は下方に突出した断面円形状になっており、これにより第一のエッジ６と第二のエッジ９は、この両者間を境に、略相似形状としているので、振動板７が上下動する時に加わる負荷は、振動板７の上動も下動も同じ状態となり、この結果として、音の再生に歪が発生しにくくなる。
【００１９】
図２は本発明の他の実施形態を示し、この実施形態の磁気回路２はヨーク１０の外周に円筒状の固定体１３を設け、この固定体１３の上端に第二のエッジ９を固定したものである。
【００２０】
図３は本発明のさらに他の実施形態を示し、この実施形態の磁気回路２はヨーク１０の外周に、フレーム１と一体の円筒状の固定体１４を設け、この固定体１４の上端に第二のエッジ９を固定したものである。
【産業上の利用可能性】
【００２１】
以上のように本発明のスピーカは音の再生に歪が発生しにくく、しかも小型化が図れるものであるので、各種電子機器に対する利用価値の高いものとなる。
【図面の簡単な説明】
【００２２】
【図１】本発明の一実施形態のスピーカを示す断面図
【図２】本発明の他の実施形態のスピーカを示す断面図
【図３】本発明のさらに他の実施形態のスピーカを示す断面図
【符号の説明】
【００２３】
１  フレーム
２  磁気回路
３  磁気ギャップ
４  コイル部
５  ボイスコイル
６  第一のエッジ
７  振動板
８  支持体
９  第二のエッジ
【図１】
2006261736.tif 000003
【図２】
2006261736.tif 000004
【図３】
2006261736.tif 000005